(57)【要約】【課題】  ダンボール板から作られる組立式収納箱であって、その全面を２重とすることができ、全方位にわたって十分な強度を有する。【解決手段】  内側の左、右側板Ｂｉ，Ｃｉおよび外側の前、後側板Ｄｏ，Ｅｏが折り線を介して外側の底板Ａｏに対して略直角に折り曲げられ、外側の左、右側板Ｂｏ，Ｃｏは、折り線を介して内側の左、右側板Ｂｉ，Ｃｉの外面に重なるように折り畳まれ、内側の前、後側板Ｄｉ，Ｅｉは、折り線を介して外側の前、後側板Ｄｏ，Ｅｏの内面に重なるように折り畳まれ、外側の底板Ａｏ上には、別体の内側の底板Ａｉを重ね合わせ、内、外側の蓋板Ｆｉ，Ｆｏは、折り線を介して内側の蓋板Ｆｉを下にして重なるように折り畳まれる。【選択図】図７
2008174251.tif 000002
【特許請求の範囲】
【請求項１】
一枚の板材（Ｐ）と、これとは別体の内側の底板（Ａｉ）よりなる組立式収納箱であって、
一枚の板材（Ｐ）には、
外側の底板（Ａｏ）と、
外側の底板（Ａｏ）の相対向する前、後辺に折り線（３，４）を介して接続される外側の前側板（Ｄｏ）および外側の後側板（Ｅｏ）と、
前記外側の前側板（Ｄｏ）の、外側の底板（Ａｏ）と反対側の一辺に折り線（５）を介して接続される内側の蓋板（Ｆｉ）と、
前記外側の後側板（Ｅｏ）の、外側の底板（Ａｏ）と反対側の一辺に折り線（６）を介して接続される外側の蓋板（Ｆｏ）と、
前記外側の底板（Ａｏ）の相対向する左、右辺に折り線（１，２）を介して接続される内側の左側板（Ｂｉ）および内側の右側板（Ｃｉ）と、
外側の前側板（Ｄｏ）の一側に折り線（７）を介して接続される外側の左側板（Ｂｏ）と、外側の後側板（Ｅｏ）の一側に折り線（８）を介して接続される外側の右側板（Ｃｏ）と、
内側もしくは外側の左側板（Ｂｉ；Ｂｏ）の一辺に折り線（９）を介して接続される内側の後側板（Ｅｉ）と、
外側もしくは内側の右側板（Ｃｏ；Ｃｉ）の一辺に折り線（１０）を介して接続される内側の前側板（Ｄｉ）と、
が一平面状に形成されており、
内側の左、右側板（Ｂｉ，Ｃｉ）および外側の前、後側板（Ｄｏ，Ｅｏ）は、折り線（１〜４）を介して外側の底板（Ａｏ）に対して略直角に折り曲げられ、
外側の左、右側板（Ｂｏ，Ｃｏ）は、折り線（７，８）を介して内側の左、右側板（Ｂｉ，Ｃｉ）の外面に重なるように折り畳まれ、
内側の前、後側板（Ｄｉ，Ｅｉ）は、折り線（９，１０）を介して外側の前、後側板（Ｄｏ，Ｅｏ）の内面に重なるように折り畳まれ、
外側の底板（Ａｏ）上には、別体の内側の底板（Ａｉ）を重ね合わせ、
内、外側の蓋板（Ｆｉ，Ｆｏ）は、折り線（５，６）を介して内側の蓋板（Ｆｉ）を下にして重なるように折り畳まれて、出入口（１５）を閉じるようにされていることを特徴とする、組立式収納箱。
【請求項２】
前記外側の蓋板（Ｆｏ）の後辺と、内側の蓋板（Ｆｉ）と外側の前側板（Ｄｏ）とを接続する折り線５には、相互に着脱可能に差込み結合される差込舌片（２１）と差込孔（２０）とが設けられることを特徴とする、前記請求項１記載の組立式収納箱。
【請求項３】
外側の左、右側板（Ｂｏ，Ｃｏ）の側縁と、前記外側の底板（Ａｏ）と内側の左、右側板（Ｂｉ，Ｃｉ）の接続線には、相互に着脱可能に差込み結合される差込舌片（３０ｔ，３１ｔ）とスリット（３０ｓ，３１ｓ）とが、
また前記外側の前、後側板（Ｄｏ，Ｅｏ）と、外側の左、右側板（Ｂｏ，Ｃｏ）もしくは内側の左、右側板（Ｂｉ，Ｃｉ）には、相互に着脱可能に差込み結合される差込舌片（３２ｔ，３３ｔ）とスリット（３２ｓ，３３ｓ）とが、
さらに、内、外側の蓋板（Ｆｉ，Ｆｏ）と、外側の左右側板（Ｂｏ，Ｃｏ）には、相互に着脱可能に差込み結合される差込舌片（３４ｔ，３５ｔ）とスリット（３４ｓ，３５ｓ）とが、それぞれ形成されていることを特徴とする、前記請求項１または２記載の組立式収納箱。
【発明の詳細な説明】
【技術分野】
【０００１】
本発明は、組立、解体が簡単であり、全面を二重壁をすることができて十分な強度を保有する組立式収納箱に関する。
【背景技術】
【０００２】
従来、組立て時に接着剤やガムテープなどの接着手段に依存することなく、折畳み手段によって、組立ておよび解体を容易かつ迅速に行うことができるようにした、保存箱は後記特許文献１により公知である。
【特許文献１】特開平１０−４５１２２号公報
【発明の開示】
【発明が解決しようとする課題】
【０００３】
ところが、従来の保存箱は、左右両側部が３枚の側面板により３重の側面部を構成するようにされており、正面板による強度を増大し、積み重ねにも十分耐え得る強度の保有するように構成されているものの、箱体の全面、すなわちその上下面、左右面および前後面が一様に補強されていないため、その強度に方向性があり、たとえば、保存箱の積込の方向によっては所期の強度が得られないという問題があった。
【０００４】
本発明はかかる実情に鑑みてなされたもので、全面をすべて２重とすることができ、すべての面が同じ強度を保有して、使い勝手のよい新規な組立式収納箱を提供することを目的とする。
【課題を解決するための手段】
【０００５】
前記目的を達成するために、請求項１記載の発明は、一枚の板材と、これとは別体の内側の底板よりなる組立式収納箱であって、
一枚の板材には、
外側の底板と、外側の底板の相対向する前、後辺に折り線を介して接続される外側の前側板および外側の後側板と、前記外側の前側板の、外側の底板と反対側の一辺に折り線を介して接続される内側の蓋板と、前記外側の後側板の、外側の底板と反対側の一辺に折り線を介して接続される外側の蓋板と、前記外側の底板の相対向する左、右辺に折り線を介して接続される内側の左側板および内側の右側板と、外側の前側板の一側に折り線を介して接続される外側の左側板と、外側の後側板の一側に折り線を介して接続される外側の右側板と、内側もしくは外側の左側板の一辺に折り線を介して接続される内側の後側板と、外側もしくは内側の右側板の一辺に折り線を介して接続される内側の前側板とが一平面状に形成されており、
内側の左、右側板および外側の前、後側板は、折り線を介して外側の底板に対して略直角に折り曲げられ、
外側の左、右側板は、折り線を介して内側の左、右側板の外面に重なるように折り畳まれ、
内側の前、後側板は、折り線を介して外側の前、後側板の内面に重なるように折り畳まれ、
外側の底板上には、別体の内側の底板を重ね合わせ、
内、外側の蓋板は、折り線を介して内側の蓋板を下にして重なるように折り畳まれて、出入口を閉じるようにされていることを特徴としている。
【０００６】
また、前記目的を達成するために、請求項２記載の発明は、前記請求項１記載のものにおいて、前記外側の蓋板の後辺と、内側の蓋板と外側の前側板とを接続する折り線には、相互に着脱可能に差込み結合される差込舌片と差込孔とが設けられることを特徴としている。
【０００７】
さらに、前記目的を達成するために、請求項３記載の発明は、前記請求項１または２記載のものにおいて、外側の左、右側板の側縁と、前記外側の底板と内側の左、右側板の接続線には、相互に着脱可能に差込み結合される差込舌片とスリットとが、
また前記外側の前、後側板と、外側の左、右側板もしくは内側の左、右側板には、相互に着脱可能に差込み結合される差込舌片とスリットとが、
さらに、内、外側の蓋板と、外側の左右側板には、相互に着脱可能に差込み結合される差込舌片とスリットとが、それぞれ形成されていることを特徴としている。
【発明の効果】
【０００８】
請求項各項記載の発明によれば、前後面、左右側面、蓋面および底面をいずれも２重とし、全方位にわたって十分の強度をもつ組立式収納箱を提供することができる。しかも組立にはファスナーなどの止具、接着剤などを使用することなく、しかも組立、解体が容易であり、さらに解体によって素材を傷つけたり、損傷したりすることがないので、再利用が可能である。また、組み立て後に底板に切目ができることがなく、その切目を封緘するためのガムテープなども止め手段が不要である。
【０００９】
また請求項３記載の発明によれば、相互に着脱可能に差込み結合されるスリットと差込み舌片を設けたことにより、組立式収納箱の強度を一層高めることができる。
【発明を実施するための最良の形態】
【００１０】
本発明の実施の形態を、添付図面に例示した本発明の実施例に基づいて以下に具体的に説明する。
【００１１】
まず、図１〜８を参照して本発明の第１実施例について説明する。
【００１２】
この第１実施例は、本発明組立式収納箱を、ダンボール箱に実施した場合であり、図１は、組立式ダンボール箱の組み立て完了状態の一部破断斜視図、図２は、図１の２−２線に沿う断面図、図３は、図１の３−３線に沿う断面図、図４は、組立式ダンボール箱の展開平面図、図５〜７は、組立式ダンボール箱の組立手順を示す斜視図、図８は、複数のダンボール箱を横積みしたときの斜視図である。
【００１３】
本発明にかかる組立式収納箱、すなわち組立式ダンボール箱Ｂは、一枚のダンボール板Ｐと、これと別体の内側の底板Ａｉとより構成され、ファスナー、接着剤などの固定手段を用いることなく、図１に示すように、開閉可能な蓋板を有して直方体状に組み立てられ、その底板、前側板、後側板、左側板および右側板がいずれも二重であって、十分の強度を保有していることに特徴があり、ダンボール箱Ｂを構成するダンボール板Ｐは、一枚のダンボール原紙を所定の形状に裁断して形成される。
【００１４】
図４には、ダンボール板Ｐを一平面の展開した状態が示されており、このダンボール板Ｐは、その中央部に長方形状の外側の底板Ａｏが設けられ、この外側の底板Ａｏの相対向する左、右辺（短辺）には折り線１，２を介して内側の左側板Ｂｉおよび内側の右側板Ｃｉがそれぞれ接続され、また、外側底板Ａｏの前、後辺（長辺）には折り線３，４を介して外側の前側板Ｄｏおよび外側の後側板Ｅｏがそれぞれ接続される。
【００１５】
また、外側の前側板Ｄｏの、外側の底板Ａｏと反対側には、折り線５を介して内側の蓋板Ｆｉが接続され、また外側の後側板Ｅｏの反対側には折り線６を介して外側の蓋板Ｆｏが接続される。折り線５の中央部には、差込孔２０が開口され、また外側の蓋板Ｆｏの外縁の中央部には、前記差込孔２０に抜差自在に差し込まれる差込舌片２１が外側に向けて一体に形成される。
【００１６】
前記外側の前側板Ｄｏの左側には折り線７を介して外側の左側板Ｂｏが接続され、さらにその外側の左側板Ｂｏの左側には、折り線９を介して内側の後側板Ｅｉが接続されている。そして、外側の左側板Ｂｏの前辺には折り線１１を介して短冊状のフラップ２２が接続されている。
【００１７】
外側の後側板Ｅｏの他側には折り線８を介して外側の右側板Ｃｏを接続され、さらにその外側の右側板Ｃｏの右側には折り線１０を介して内側の前側板Ｄｉが接続されている。そして、外側の右側板Ｃｏの後辺には０折り線１２を介して短冊状のフラップ２３が接続されている。
【００１８】
また、図４に示すように、ダンボール板Ｐとは別に他のダンボール板Ｐ′により長方形状の内側の底板Ａｉが設けられ、この内側の底板Ａｉは、組み立てられたダンボール箱本体Ｂの外側の底板Ａｏの内面上に重ね合わされる。
【００１９】
つぎに、図５〜７を参照して、展開状態のダンボール板Ｐから、ダンボール箱本体Ｂを組み立てる手順について説明する。
【００２０】
(1) まず、図５（ａ）に示すように、外側の底板Ａｏを設置面上に置いたのち、内側の左側板Ｂｉおよび内側の右側板Ｃｉを折り線１，２に沿って略直角に折り曲げると同時に外側の後側板Ｅｏを折り線４に沿って略直角に折り曲げる。外側の後側板Ｅｏの折り曲げに伴いこれに接続される外側の右側板Ｃｏ、内側の前側板Ｄｉおよび外側の蓋板Ｆｏも起立する。ついで、図５（ａ）矢印ａに示すように、折り線８に沿い、外側の右側板Ｃｏおよび内側の前側板Ｄｉを内側の右側板Ｃｉに向けて折り畳む。
【００２１】
(2) 図６（ｂ）に示すように、外側の右側板Ｃｏと内側の右側板Ｃｉｏは重ね合わされて２重となると共に内側の前側板Ｄｉは折り線３に沿って折り曲げられる。ついで、図６（ｂ）矢印ｂに示すように、外側の前側板Ｄｏを折り線３に沿って折り曲げる。これにより、内側の前側板Ｄｉの外側に外側の前側板Ｄｏが重ねられる。
【００２２】
(3) 図７（ｃ）に示すように、内側の前側板Ｄｉと外側の前側板Ｄｏは重ね合わされて２重となると共に内側の蓋板Ｆｉは外側の前側板Ｄｏの上方に位置し、さらに外側の前側板Ｄｏに接続される外側の左側板Ｂｏおよび内側の後側板Ｅｉは起立して内側の左側板に外方に位置する。図７（ｃ）矢印ｃに示すように、折り線７に沿い、外側の左側板Ｂｏを内側の左側板Ｂｉに向けて折り畳むと共に図７（ｃ）矢印ｄに示すように、内側の後側板Ｅｉを折り線９に沿って折り畳んで外側の後側板Ｅｏにその内方から重ね合わせる。これにより、内、外側の左側板Ｂｉ，Ｂｏが重ね合わされ、さらに内、外側の後側板Ｅｉ，Ｅｏが重ね合わされる。
【００２３】
(4) 以上前記(1) 〜(3) により、図７（ｄ）に示すように、左、右側板および前、後側板をいずれも２重としたダンボール箱本体Ｂが組み立てられ、このダンボール箱本体Ｂの上面の出入口１５が形成される。ここで、出入口１５を通してダンボール箱本体Ｂの外側の底板Ａｏ上に、このダンボール箱本体Ｂと別体の内側の底板Ａｉを重ね合わせて２重底とすることができ、さらに、ダンボール箱本体Ｂの出入口１５を閉じる蓋板は、内側の蓋板Ｆｉに外側の蓋板Ｆｏを重ね合わせることで２重とすることができ、外側の左、右側板Ｂｏ，Ｃｏに接続されるフラップ２２，２３は、ダンボール箱本体Ｂの出入口１５の左、右両側を位置する。前記差込孔２０に差込舌片２１を差し込むことにより、図１に示すように、出入口１５は、内側および外側の底板Ｆｉ，Ｆｏにより２重に閉じられる。
【００２４】
以上のように、底板、左、右側板、前、後側板および蓋板をいずれも２重とした、極めて強度の大きいダンボール箱を組み付けることができ、特に、各板を２重に組み付けるにあたって、前記差込孔２０および差込舌片２１の外に、スリットや差込舌片などの連結部をダンボール板に設けないで済み、しかも底板を除く各２重板は一枚のダンボール板から作らるので、構造が簡単であり、廉価に提供することができる。
【００２５】
しかも、複数のダンボール箱はどの方向から横積みしても十分な強度を有し、図８に示すように、横積みした状態のまま、出入口１５を開放して物の出し入れを容易に行うことができる。
【００２６】
つぎに、図９，１０を参照して、本発明の第２実施例について説明する。
【００２７】
図９は、ダンボール箱の展開図、図１０はダンボール箱の組立途中の状態を示す斜視図であり、図中、前記第１実施例と同じ要素には同じ符号を付す。
【００２８】
この第２実施例は、ダンボール箱の強度を一層高めるようにしたものであって、図９に示すように、外側の底板Ａｏと、内側の左、右側板Ｂｉ，Ｃｏｉとの折り線１，２に沿って対をなすスリット３０ｓ，３１ｓが設けられ、一方外側の左、右側板Ｂｏ，Ｃｏの一側には、前記スリット３０ｓ，３１ｓに対応する差込舌片３０ｔ，３１ｔが一体に設けられ、また、外側の左、右側板Ｂｏ，Ｃｏと、内側の前、後側板Ｄｉ，Ｅｉとの折り線１１，８には、対をなすスリット３２ｓ，３３ｓがそれぞれ設けられ、一方外側の前、後側板Ｄｏ，Ｅｏの一側には、前記スリット３２ｓ，３３ｓに対応する差込舌片３２ｔ，３３ｔが一体に設けられ、さらに、外側の左、右側板Ｂｏ，Ｃｏとフラップ２２，２３との折り線１１，１２には、一対のスリット３４ｓ，３４ｓ；３５ｓ，３５ｓがそれぞれ設けられ、一方、内、外側の蓋板Ｆｉ，Ｆｏの両側には、前記スリットう３４ｓ，３４ｓ；３５ｓ，３５ｓに対応する差込舌片３４ｔ，３５ｔ；３４ｔ，３５ｔがそれぞれ一体に設けられている。
【００２９】
図１０に示すように、ダンボール箱を組み立てるとき、差込舌片３０ｔ，３１ｔはスリット３０ｓ，３１ｓに、差込舌片３２ｔ，３３ｔはスリット３２ｓ，３３ｓに、差込舌片３４ｔ，３５ｔ；３４ｔ，３５ｔは、はスリット３４ｓ，３５ｓ；３４ｓ，３５ｓにそれぞれ差込み結合され、ダンボール箱は、２重構造の、底板、前、後側板、左、右側板および蓋板が強固に結合されて、ダンボールの全面の強度が一様に高められ、どの方向から荷重に対して十分に対応することができる。
【００３０】
つぎに、図１１を参照して、本発明の第３実施例について説明する。
【００３１】
図１１は、ダンボール箱の展開図であり、図中、前記第１，２実施例と同じ要素には同じ符号を付す。
【００３２】
この第３実施例は、内側の前、後側板Ｄｉ，Ｅｉの接続位置が、前記第１，２実施例のものと相違しており、すなわち、内側の前側板Ｄｉは、外側の右側板Ｃｏに接続される代わりに内側の右側板Ｃｉの一側に接続され、また内側の後側板Ｅｉは、外側の左側板Ｂｏに接続される代わりに内側の左側板Ｂｉに接続される。
【００３３】
しかして、この第３実施例のものも前記第１，２実施例のものと同じく全面が２重のダンボール箱を組み立てることができる。
【００３４】
そして、この第３実施例のものでは、ダンボール板Ｐは略長方形状となり、ダンボール素板からダンボール板Ｐを裁断する際の歩留りが、前記第１，２実施例のものよりもよい。
【００３５】
以上、本発明の実施例について説明したが、本発明はその実施例に限定されることなく、本発明の範囲内で種々の実施例が可能である。
【００３６】
たとえば、前記実施例では、本発明収納箱を、ダンボール板により形成した場合を説明したが、これを他の紙板、合成樹脂板、木板など他の板材により構成してもよいことは勿論である。
【図面の簡単な説明】
【００３７】
【図１】組立式ダンボール箱の組み立て完了状態の一部破断斜視図
【図２】図１の２−２線に沿う断面図
【図３】図１の３−３線に沿う断面図
【図４】組立式ダンボール箱の展開平面図
【図５】組立式ダンボール箱の組立手順を示す斜視図
【図６】組立式ダンボール箱の組立手順を示す斜視図
【図７】組立式ダンボール箱の組立手順を示す斜視図
【図８】複数のダンボール箱を横積みしたときの斜視図
【図９】組立式ダンボール箱の展開平面図（第２実施例）
【図１０】ダンボール箱の組立途中の状態を示す斜視図（第２実施例）
【図１１】ダンボール箱の展開図（第３実施例）
【符号の説明】
【００３８】
１〜１２・・・・・・・・折り線
１５・・・・・・・・・・出入口
２０・・・・・・・・・・差込孔
２１・・・・・・・・・・差込舌片
３０ｓ〜３５ｓ・・・・・スリット
３０ｔ〜３５ｔ・・・・・差込舌片
Ａｏ・・・・・・・・・・外側の底板
Ａｉ・・・・・・・・・・内側の底板
Ｂｏ・・・・・・・・・・外側の左側板
Ｂｉ・・・・・・・・・・内側の左側板
Ｃｏ・・・・・・・・・・外側の右側板
Ｃｉ・・・・・・・・・・内側の右側板
Ｄｏ・・・・・・・・・・外側の前側板
Ｄｉ・・・・・・・・・・内側の前側板
Ｅｏ・・・・・・・・・・外側の後側板
Ｅｉ・・・・・・・・・・内側の後側板
Ｆｏ・・・・・・・・・・外側の蓋板
Ｆｉ・・・・・・・・・・内側の蓋板
Ｐ・・・・・・・・・・・ダンボール板（板材）
【図１】
2008174251.tif 000003
【図２】
2008174251.tif 000004
【図３】
2008174251.tif 000005
【図４】
2008174251.tif 000006
【図５】
2008174251.tif 000007
【図６】
2008174251.tif 000008
【図７】
2008174251.tif 000009
【図８】
2008174251.tif 000010
【図９】
2008174251.tif 000011
【図１０】
2008174251.tif 000012
【図１１】
2008174251.tif 000013